(57)【要約】【課題】ソフトキーなどの特定操作ボタンに割り当てる機能を容易に変更可能な電子機器を実現する。【解決手段】本発明に係る携帯電話機１は、制御部１０と、ディスプレイ３０と、タッチパネル４０と、ボタン操作受付部５０とを有する。制御部１０は、右ソフトキーＫＲ・左ソフトキーＫＬが押下された場合に、待ち受け画面の特定領域に表示されているアイコンに対応する機能を実行するアプリケーション実行部１１と、アイコンの一覧を含むホーム画面が表示されているときに、上記一覧から選択されたアイコンをクイックメニュー表示領域に表示するクイックメニュー表示部１３と、特定領域に表示されているアイコンとクイックメニュー表示領域に表示されているアイコンとを関連付けるアイコン関連設定部１４とを備え、タッチパネル４０に対する入力操作によって、上記一覧からの機能の選択が可能である。【選択図】図４
2012238236.tif 000002
【特許請求の範囲】
【請求項１】
ディスプレイと、上記ディスプレイ上に設けられるタッチパネルと、押下操作可能な操作ボタンと、上記ディスプレイに第１の画面が表示され上記操作ボタンのうち特定操作ボタンが押下された場合に、第１の画面の特定領域に表示されている第１の表示要素に対応する機能を実行する機能実行手段とを有する電子機器であって、
上記ディスプレイに上記電子機器の機能の一覧を含む第２の画面が表示されているときに、上記一覧から選択された機能に対応する第２の表示要素を第２の画面の選択機能表示領域に表示する選択機能表示手段と、
第１の表示要素に対応する機能が、第２の表示要素に対応する機能と同一になるように第１の表示要素と第２の表示要素とを互いに関連付ける要素関連設定手段とを有し、
上記タッチパネルに対する入力操作によって、上記一覧からの機能の選択が可能であることを特徴とする電子機器。
【請求項２】
上記一覧では、上記電子機器の機能がアイコンで表示されることを特徴とする請求項１に記載の電子機器。
【請求項３】
第２の表示要素はアイコンであり、上記一覧に表示されているアイコンをスライド操作によって上記選択機能表示領域に移動させることにより、上記機能の選択が実行されることを特徴とする請求項２に記載の電子機器。
【請求項４】
第１の表示要素はアイコンであることを特徴とする請求項１〜３のいずれか１項に記載の電子機器。
【請求項５】
第１の表示要素はアイコンであり、
上記要素関連設定手段によって関連付けられた第１の表示要素と第２の表示要素とは、同一の外観であることを特徴とする請求項２または３に記載の電子機器。
【請求項６】
第１の画面から第２の画面に切り替えるときに、第１の画面の上記特定領域に表示されているアイコンを連続的に移動させて、第２の画面の上記選択機能表示領域に表示させる連続移動表示手段を有することを特徴とする請求項５に記載の電子機器。
【請求項７】
上記連続移動表示手段は、第２の画面から第１の画面に切り替えるときに、第２の画面の上記選択機能表示領域に表示されているアイコンを連続的に移動させて、第１の画面の上記特定領域に表示させることを特徴とする請求項６に記載の電子機器。
【請求項８】
携帯電話機であることを特徴とする請求項１〜７のいずれか１項に記載の電子機器。
【請求項９】
上記特定操作ボタンは、操作ボタン配置面の右上隅および左上隅にそれぞれ配置される右ソフトキーおよび左ソフトキーであることを特徴とする請求項８に記載の電子機器。
【請求項１０】
上記特定領域は、第１の画面の右下隅に位置する右側特定領域と、第１の画面の左下隅に位置する左側特定領域とからなり、
上記機能実行手段は、上記ディスプレイに第１の画面が表示され上記右ソフトキーが押下された場合に、第１の表示要素のうち上記右側特定領域に表示されている表示要素に対応する機能を実行し、上記ディスプレイに第１の画面が表示され上記左ソフトキーが押下された場合に、第１の表示要素のうち上記左側特定領域に表示されている表示要素に対応する機能を実行することを特徴とする請求項９に記載の電子機器。
【請求項１１】
第１の画面は待ち受け画面であることを特徴とする請求項１〜１０のいずれか１項に記載の電子機器。
【請求項１２】
ディスプレイと、上記ディスプレイ上に設けられるタッチパネルと、押下操作可能な操作ボタンとを有し、
上記ディスプレイに第１の画面が表示され上記操作ボタンのうち特定操作ボタンが押下された場合に、第１の画面の特定領域に表示されている第１の表示要素に対応する機能を実行するように設定されている電子機器の制御方法であって、
上記ディスプレイに上記電子機器の機能の一覧を含む第２の画面が表示されているときに、上記一覧から選択された機能に対応する第２の表示要素を第２の画面の選択機能表示領域に表示する選択機能表示ステップと、
第１の表示要素に対応する機能が、第２の表示要素に対応する機能と同一になるように第１の表示要素と第２の表示要素とを互いに関連付ける要素関連設定ステップとを有し、
上記選択機能表示ステップでは、上記タッチパネルに対する入力操作によって、上記一覧からの機能の選択が可能であることを特徴とする電子機器の制御方法。
【請求項１３】
請求項１〜１１のいずれか１項に記載の電子機器の各手段としてコンピュータを動作させるためのプログラム。
【請求項１４】
請求項１３に記載のプログラムを記録したコンピュータ読み取り可能な記録媒体。
【発明の詳細な説明】
【技術分野】
【０００１】
本発明は、ディスプレイとタッチパネルと操作ボタンとを有する電子機器に関し、特に、ボタン操作とタッチ操作との両方が可能な携帯電話機に関する。
【背景技術】
【０００２】
従来より、携帯電話機は、通話の他、メールの送受信やインターネットの閲覧に利用されることが多い。そのため、多くの機種では、例えば図６に示すように、操作ボタン配置面の右上端および左上端に位置する右ソフトキーＫＲおよび左ソフトキーＫＬに、それぞれブラウザ起動およびメール起動の各機能を割り当てている。これによりユーザは、右ソフトキーＫＲまたは左ソフトキーＫＬを押下することにより、頻繁に使用するメール機能やブラウザ機能を片手で操作しながらワンタッチで起動することができる。
【０００３】
一方、頻繁に使用される携帯電話機の機能は、ユーザによって様々であり、必ずしもメールの送受信やインターネットの閲覧に限られない。そこで、ソフトキーに割り当てられる機能を変更可能とする構成が、下記の特許文献１に開示されている。
【０００４】
図７は、特許文献１に記載の携帯電話機１００を示している。携帯電話機１００は、操作ボタン配置面の左上端にソフトキー１１８を有している。ソフトキー１１８に割り当てられている機能は、表示スクリーン１０４のソフトキー機能インジケータ１１４に表示される。また、ナビゲーションキーグループ１２０の“Ｅ”または“Ｗ”を操作すると、表示スクリーン１０４の下側の表示をスクロールさせて、ソフトキー機能インジケータ１１４に表示される機能を変更することができる。これによって、ソフトキー１１８に割り当てられる機能を変更することができる。
【先行技術文献】
【特許文献】
【０００５】
【特許文献１】特開２００１−７５７１７号公報（公開日：２００１年３月２３日）
【発明の概要】
【発明が解決しようとする課題】
【０００６】
近年、ネットワークから様々なアプリケーションをダウンロードすることにより、機能を追加可能な携帯電話機も普及しており、１台の携帯電話機に非常に多数の機能を搭載させることが可能になっている。そのため、特許文献１に記載の構成を、多数の機能を有する携帯電話機に適用した場合、ソフトキーに割り当てられる機能を変更するための手間が増大する。
【０００７】
本発明は、上記の問題点を解決するためになされたもので、その目的は、ソフトキーなどの特定操作ボタンに割り当てる機能を容易に変更可能な電子機器およびその制御方法を実現することにある。
【課題を解決するための手段】
【０００８】
上記の課題を解決するために、本発明に係る電子機器は、ディスプレイと、上記ディスプレイ上に設けられるタッチパネルと、押下操作可能な操作ボタンと、上記ディスプレイに第１の画面が表示され上記操作ボタンのうち特定操作ボタンが押下された場合に、第１の画面の特定領域に表示されている第１の表示要素に対応する機能を実行する機能実行手段とを有する電子機器であって、上記ディスプレイに上記電子機器の機能の一覧を含む第２の画面が表示されているときに、上記一覧から選択された機能に対応する第２の表示要素を第２の画面の選択機能表示領域に表示する選択機能表示手段と、第１の表示要素に対応する機能が、第２の表示要素に対応する機能と同一になるように第１の表示要素と第２の表示要素とを互いに関連付ける要素関連設定手段とを有し、上記タッチパネルに対する入力操作によって、上記一覧からの機能の選択が可能であることを特徴としている。
【０００９】
上記の課題を解決するために、本発明に係る電子機器の制御方法は、ディスプレイと、上記ディスプレイ上に設けられるタッチパネルと、押下操作可能な操作ボタンとを有し、上記ディスプレイに第１の画面が表示され上記操作ボタンのうち特定操作ボタンが押下された場合に、第１の画面の特定領域に表示されている第１の表示要素に対応する機能を実行するように設定されている電子機器の制御方法であって、上記ディスプレイに上記電子機器の機能の一覧を含む第２の画面が表示されているときに、上記一覧から選択された機能に対応する第２の表示要素を第２の画面の選択機能表示領域に表示する選択機能表示ステップと、第１の表示要素に対応する機能が、第２の表示要素に対応する機能と同一になるように第１の表示要素と第２の表示要素とを互いに関連付ける要素関連設定ステップとを有し、上記選択機能表示ステップでは、上記タッチパネルに対する入力操作によって、上記一覧からの機能の選択が可能であることを特徴としている。
【００１０】
上記の構成によれば、ディスプレイに第１の画面が表示されている場合に、特定操作ボタンが押下されると、特定領域に表示されている第１の表示要素に対応する機能が実行される。すなわち、特定操作ボタンには、特定領域に表示されている第１の表示要素に対応する機能の実行が割り当てられている。これにより、ユーザは、第１の画面が表示されているときに、第１の表示要素の機能をワンタッチで実行させることができる。
【００１１】
ここで、特定領域に表示されている第１の表示要素を変更する場合、電子機器の機能の一覧を含む第２の画面において、当該一覧から選択された機能に対応する第２の表示要素が選択機能表示領域に表示され、さらに、第１の表示要素に対応する機能が、第２の表示要素に対応する機能と同一になるように、第１の表示要素と第２の表示要素とが互いに関連付けられる。これにより、第２の画面から第１の画面に切り替えられたときに、選択機能表示領域に表示されていた第２の表示要素が、第１の画面の特定領域に表示される。
【００１２】
ここで、第２の画面において、上記一覧からの機能の選択は、タッチパネルに対する入力操作によって可能である。したがって、ソフトキーなどの特定操作ボタンに割り当てられる機能を容易に変更できる。
【００１３】
本発明に係る電子機器は、上記一覧では、上記電子機器の機能がアイコンで表示されることが好ましい。
【００１４】
上記の構成によれば、ユーザは、アイコンから直感的に機能を把握することができるので、所望の機能を容易に探すことができる。
【００１５】
本発明に係る電子機器では、第２の表示要素はアイコンであり、上記一覧に表示されているアイコンをスライド操作によって上記選択機能表示領域に移動させることにより、上記機能の選択が実行されることが好ましい。
【００１６】
上記の構成によれば、ユーザは、容易に所望のアイコンを選択して、選択したアイコンを選択機能表示領域に表示させることができる。
【００１７】
本発明に係る電子機器では、第１の表示要素はアイコンであることが好ましい。
【００１８】
上記の構成によれば、ユーザは、特定操作ボタンに割り当てられる機能を容易に把握することができる。
【００１９】
本発明に係る電子機器では、第１の表示要素はアイコンであり、上記要素関連設定手段によって関連付けられた第１の表示要素と第２の表示要素とは、同一の外観であることが好ましい。
【００２０】
上記の構成によれば、第１の表示要素および第２の表示要素がどちらも外観が同一のアイコンであるため、ユーザは、特定領域に表示されている第１の表示要素と、選択機能表示領域に表示されている第２の表示要素とが関連付けられていることを認識できる。
【００２１】
本発明に係る電子機器では、第１の画面から第２の画面に切り替えるときに、第１の画面の上記特定領域に表示されているアイコンを連続的に移動させて、第２の画面の上記選択機能表示領域に表示させる連続移動表示手段を有することが好ましい。
【００２２】
本発明に係る電子機器では、上記連続移動表示手段は、第２の画面から第１の画面に切り替えるときに、第２の画面の上記選択機能表示領域に表示されているアイコンを連続的に移動させて、第１の画面の上記特定領域に表示させることが好ましい。
【００２３】
上記の構成によれば、アイコンは、画面切り替え前の位置と画面切り替え後の位置との間を、連続的に移動するので、ユーザは、特定領域に表示されているアイコンと、選択機能表示領域に表示されているアイコンとが、互いに同一であることを容易に認識できる。
【００２４】
本発明に係る電子機器は、携帯電話機であることが好ましい。
【００２５】
本発明に係る電子機器では、上記特定操作ボタンは、操作ボタン配置面の右上隅および左上隅にそれぞれ配置される右ソフトキーおよび左ソフトキーであることが好ましい。
【００２６】
上記の構成によれば、右ソフトキーおよび左ソフトキーは、多くの携帯電話機で、機能を実行するための操作ボタンとして設けられているため、多くのユーザが使い慣れた方法で、容易に所望の機能を実行することができる。
【００２７】
本発明に係る電子機器では、上記特定領域は、第１の画面の右下隅に位置する右側特定領域と、第１の画面の左下隅に位置する左側特定領域とからなり、
上記機能実行手段は、上記ディスプレイに第１の画面が表示され上記右ソフトキーが押下された場合に、第１の表示要素のうち上記右側特定領域に表示されている表示要素に対応する機能を実行し、上記ディスプレイに第１の画面が表示され上記左ソフトキーが押下された場合に、第１の表示要素のうち上記左側特定領域に表示されている表示要素に対応する機能を実行することが好ましい。
【００２８】
通常、携帯電話機は、ディスプレイが操作ボタン配置面の上側に位置する状態で、操作されるため、通常の使用状態において、右ソフトキーおよび右側特定領域、並びに、左ソフトキーおよび左側特定領域は、互いに近接する。このため、ユーザは、右側特定領域および左側特定領域に表示されているアイコンから、右ソフトキーおよび左ソフトキーに割り当てられている機能を容易に把握できる。
【００２９】
本発明に係る電子機器では、第１の画面は待ち受け画面であることが好ましい。
【００３０】
なお、上記電子機器は、コンピュータによって実現してもよく、この場合には、コンピュータを上記電子機器の各手段として動作させるプログラム、及びそれを記録したコンピュータ読み取り可能な記録媒体も本発明に含まれる。
【発明の効果】
【００３１】
以上のように、本発明に係る電子機器は、上記ディスプレイに上記電子機器の機能の一覧を含む第２の画面が表示されているときに、上記一覧から選択された機能に対応する第２の表示要素を第２の画面の選択機能表示領域に表示する選択機能表示手段と、第１の表示要素に対応する機能が、第２の表示要素に対応する機能と同一になるように第１の表示要素と第２の表示要素とを互いに関連付ける要素関連設定手段とを有し、上記タッチパネルに対する入力操作によって、上記一覧からの機能の選択が可能である。
【００３２】
また、本発明に係る電子機器の制御方法は、上記ディスプレイに上記電子機器の機能の一覧を含む第２の画面が表示されているときに、上記一覧から選択された機能に対応する第２の表示要素を第２の画面の選択機能表示領域に表示する選択機能表示ステップと、第１の表示要素に対応する機能が、第２の表示要素に対応する機能と同一になるように第１の表示要素と第２の表示要素とを互いに関連付ける要素関連設定ステップとを有し、上記選択機能表示ステップでは、上記タッチパネルに対する入力操作によって、上記一覧からの機能の選択が可能である。
【００３３】
したがって、ソフトキーなどの特定操作ボタンに割り当てられる機能を容易に変更できるという効果を奏する。
【図面の簡単な説明】
【００３４】
【図１】本発明の実施形態に係る携帯電話機の外観の一例を示す図であり、（ａ）は、待ち受け画面を表示している状態を示しており、（ｂ）は、ホーム画面を表示している状態を示している。
【図２】クイックメニュー表示領域に表示されるアイコンの変更操作を示す図である。
【図３】アイコンの移動表示を説明するための図である。
【図４】図１に示す携帯電話機の要部構成を示すブロック図である。
【図５】待ち受け画面の特定領域に表示されるアイコンの変更手順を示すフローチャートである。
【図６】一般的な携帯電話の外観を示す図である。
【図７】特許文献１に記載の携帯電話機を示す図である。
【発明を実施するための形態】
【００３５】
本発明の実施の一形態について図１〜図５に基づいて説明すれば以下のとおりである。
【００３６】
（携帯電話機の概略）
まず、本実施形態に係る携帯電話機の概略について説明する。図１は、本実施形態に係る携帯電話機１の外観の一例を示す図であり、（ａ）は、待ち受け画面を表示している状態を示しており、（ｂ）は、ホーム画面を表示している状態を示している。
【００３７】
待ち受け画面は、携帯電話機１に対する着信やメール受信などの待機時に表示される画面であり、携帯電話機１の電源が投入され、起動経過等を示す画面が表示された後、最初に継続的に表示される画面である。ホーム画面は、携帯電話機１が実行可能なアプリケーションや機能を示すアイコンの一覧が表示される画面である。なお、待ち受け画面およびホーム画面は、それぞれ特許請求の範囲に記載の第１の画面および第２の画面に相当する。
【００３８】
図１（ａ）に示すように、携帯電話機１は、いわゆる折りたたみ式の携帯電話機であり、表示スクリーン２および操作ボタン配置面３を有している。操作ボタン配置面３の右上隅および左上隅には、右ソフトキーＫＲおよび左ソフトキーＫＬがそれぞれ配置されている。
【００３９】
右ソフトキーＫＲおよび左ソフトキーＫＬは、待ち受け画面が表示されているときに、アプリケーションの起動など、携帯電話機１の機能を実行するように設定されている操作ボタンであり、特許請求の範囲に記載の特定操作ボタンに相当する。右ソフトキーＫＲは、待ち受け画面の右下隅の領域ＡＲに表示されたアイコンに関連付けられており、右ソフトキーＫＲが押下されると、領域ＡＲに表示されたアイコンに対応する機能が実行される。同様に、左ソフトキーＫＬは、待ち受け画面の左下隅の領域ＡＬに表示されたアイコンに関連付けられており、左ソフトキーＫＬが押下されると、領域ＡＬに表示されたアイコンに対応する機能が実行される。
【００４０】
なお、領域ＡＲおよび領域ＡＬは、それぞれ特許請求の範囲に記載の右側特定領域および左側特定領域に相当する。また、領域ＡＲ・ＡＬに表示されるアイコンは、特許請求の範囲に記載の第１の表示要素に相当する。
【００４１】
通常の使用状態において、右ソフトキーＫＲおよび領域ＡＲ、並びに、左ソフトキーＫＬおよび領域ＡＬは、互いに近接している。このため、ユーザは、領域ＡＲ・ＡＬに表示されているアイコンから、右ソフトキーＫＲおよび左ソフトキーＫＬに割り当てられている機能を容易に把握できる。
【００４２】
図１（ａ）に示す例では、領域ＡＲにブラウザ機能を示すアイコン（以下、ブラウザアイコンとする）が表示され、領域ＡＬにメール機能を示すアイコン（以下、メールアイコンとする）が表示されている。これにより、右ソフトキーＫＲが押下されると、ブラウザソフトが起動し、左ソフトキーＫＬが押下されると、メールソフトが起動する。
【００４３】
さらに、携帯電話機１では、領域ＡＲ・ＡＬに表示されるアイコンを変更することにより、右ソフトキーＫＲおよび左ソフトキーＫＬに割り当てる機能の変更が可能となっている。領域ＡＲ・ＡＬに表示されるアイコンは、図１（ｂ）に示すホーム画面において容易に変更することができる。
【００４４】
図１（ａ）に示す待ち受け画面が表示されているときに、ホーム画面切替ボタンＫＨを押下すると、ホーム画面に切り替わる。図１（ｂ）に示すように、ホーム画面には、一覧表示領域ＡＶと、クイックメニュー表示領域ＡＱとが含まれている。一覧表示領域ＡＶには、携帯電話機１が実行可能な機能を示すアイコンの一覧が表示される。
【００４５】
後述するように、クイックメニュー表示領域ＡＱに表示されるアイコンと、待ち受け画面の領域ＡＲ・ＡＬに表示されるアイコンとは互いに関連付けられている。そのため、待ち受け画面からホーム画面への切り替え時において、クイックメニュー表示領域ＡＱには、待ち受け画面の領域ＡＲ・ＡＬに表示されていたブラウザアイコンおよびメールアイコンがそれぞれ表示される。また、クイックメニュー表示領域ＡＱに表示されるアイコンは、タッチ操作によって容易に変更することができる。なお、クイックメニュー表示領域ＡＱは、特許請求の範囲に記載の選択機能表示領域に相当し、クイックメニュー表示領域ＡＱに表示されるアイコンは、特許請求の範囲に記載の第２の表示要素に相当する。
【００４６】
（ホーム画面における操作）
図２は、クイックメニュー表示領域ＡＱに表示されるアイコンの変更操作を示している。便宜上、図２では、一覧で表示される各アイコンをアルファベットにて表示している。
【００４７】
図２（ａ）に示す状態から、クイックメニュー表示領域ＡＱに表示されているメールアイコンを、「Ｂ」で示されるアイコン（以下、アイコンＢとする）に変更する場合、以下のように操作する。まず、図２（ｂ）および（ｃ）に示すように、スライド操作により、メールアイコンをクイックメニュー表示領域ＡＱから一覧表示領域ＡＶに移動させる。これにより、クイックメニュー表示領域ＡＱの左側領域が空欄になる。続いて、図２（ｄ）および（ｅ）に示すように、スライド操作により、アイコンＢを一覧表示領域ＡＶからクイックメニュー表示領域ＡＱの左側領域に移動させる。これにより、クイックメニュー表示領域ＡＱに、アイコンＢとブラウザアイコンとが表示された状態となる。
【００４８】
続いて、図１（ｂ）に示す、戻るボタンＫＢを押下すると、ホーム画面から再び待ち受け画面に切り替わる。ここで、クイックメニュー表示領域ＡＱに表示されるアイコンと、待ち受け画面の領域ＡＲ・ＡＬに表示されるアイコンとは互いに関連付けられているため、図２（ｆ）に示すように、領域ＡＲ・ＡＬには、ブラウザアイコンとアイコンＢとがそれぞれ表示される。これにより、左ソフトキーＫＬに割り当てられる機能がアイコンＢに対応する機能に変更される。
【００４９】
なおホーム画面において、アイコンの一覧は、左右のフリック操作によってページを切り替えることができる。一方、クイックメニュー表示領域ＡＱは、アイコンの一覧が切り替えられた場合でも移動しない。したがって、携帯電話機１が多数の機能を有している場合であっても、ユーザは、アイコンの一覧から容易に所望のアイコンを選択することができる。
【００５０】
このように、携帯電話機１では、アイコンの一覧が表示されるホーム画面において、タッチ操作によりクイックメニュー表示領域ＡＱに表示されるアイコンを、一覧から選択されたアイコンと容易に入れ替えることができる。そして、クイックメニュー表示領域ＡＱに表示されるアイコンと、待ち受け画面の領域ＡＲ・ＡＬに表示されるアイコンとが互いに関連付けられているため、右ソフトキーＫＲおよび左ソフトキーＫＬに割り当てる機能を容易に変更することができる。
【００５１】
さらに、図２（ｅ）に示すホーム画面から図２（ｆ）に示す待ち受け画面に切り替えるときに、クイックメニュー表示領域ＡＱに表示されているアイコンＢおよびブラウザアイコンは、待ち受け画面の領域ＡＲ・ＡＬに連続的に移動する。同様に、待ち受け画面からホーム画面に切り替わる場合も、待ち受け画面の領域ＡＲ・ＡＬに表示されているアイコンは、ホーム画面のクイックメニュー表示領域ＡＱに連続的に移動する。
【００５２】
すなわち、待ち受け画面とホーム画面とを切り替えるときに、図３の双方向矢印に示すように、アイコンは、画面切り替え前の位置と画面切り替え後の位置との間を、アニメーション表示により連続的に移動する。これにより、ユーザは、クイックメニュー表示領域ＡＱに表示される各アイコンと、領域ＡＲ・ＡＬに表示される各アイコンとが、互いに同一であることを容易に認識できる。
【００５３】
なお、領域ＡＲ・ＡＬに表示されるアイコンを変更するための画面は、ホーム画面に限定されない。アイコンの一覧が表示される画面であれば、ランチャー画面などでアイコンの選択および変更を行ってもよい。
【００５４】
（携帯電話機の構成）
続いて、上記の機能を実現するための携帯電話機１の具体的な構成について説明する。図４は、本実施形態に係る携帯電話機１の要部構成を示すブロック図である。携帯電話機１は、制御部１０、無線通信部２０、ディスプレイ３０、タッチパネル４０、ボタン操作受付部５０および記憶部６０を備えている。
【００５５】
制御部１０は、携帯電話機１の各種機能を制御するものであり、アプリケーション実行部１１、画面切替部１２、クイックメニュー表示部１３、アイコン関連設定部１４および連続移動表示部１５を備えている。
【００５６】
無線通信部２０は、無線によって外部機器との通信を行う機能を有している。例えば、無線通信部２０は、他の電話機との通話やメールの送受信を行う。
【００５７】
ディスプレイ３０は、図１に示す表示スクリーン２に携帯電話機１のユーザインタフェース画面を表示するものである。携帯電話機１を薄型に構成するために、ディスプレイ３０として、液晶ディスプレイ、ＥＬディスプレイ、プラズマディスプレイのような平板型ディスプレイが好適に用いられる。
【００５８】
タッチパネル４０は、ディスプレイ３０上に設けられ、ディスプレイ３０に表示される画面上でタッチ操作を行うために設けられる入力機器である。タッチパネル４０に対してタッチ操作が行われると、タッチパネル４０は、タッチ位置に応じた制御信号を制御部１０に出力する。
【００５９】
ボタン操作受付部５０は、押下操作可能な複数の操作ボタンを備えており、それらの操作ボタンに対する押下操作を受け付けるものである。上記複数の操作ボタンには、テンキーや十字キー等の他、図１に示す右ソフトキーＫＲ、左ソフトキーＫＬ、ホーム画面切替ボタンＫＨおよび戻るボタンＫＢが含まれている。
【００６０】
記憶部６０は、携帯電話機１で使用する各種データを格納するものであり、フラッシュメモリ６１、ＲＯＭ６２およびＲＡＭ６３を備えている。フラッシュメモリ６１には、ユーザによって作成されたデータや、無線通信部２０を介して受信されたデータが保存される。ＲＯＭ６２には、携帯電話機１にあらかじめ定められた動作を実行させるためのアプリケーションプログラム等が格納されている。ＲＡＭ６３は、ユーザの操作に基づいて制御部１０によって生成されるデータを一時的に保持するための作業メモリである。
【００６１】
（制御部の機能）
続いて、制御部１０の各機能ブロックについて説明する。
【００６２】
アプリケーション実行部１１は、フラッシュメモリ６１およびＲＯＭ６２に格納されているアプリケーションプログラムや携帯電話機１の各種機能を実行するものであり、特許請求の範囲に記載の機能実行手段に相当する。例えば、ホーム画面において、アイコンの表示位置にタッチ操作が行われると、アプリケーション実行部１１は、タッチ操作されたアイコンに対応するアプリケーションを起動する。
【００６３】
また、アプリケーション実行部１１は、ディスプレイ３０に待ち受け画面が表示され、右ソフトキーＫＲが押下された場合に、待ち受け画面の領域ＡＲに表示されているアイコンに対応する機能を実行する。同様に、アプリケーション実行部１１は、ディスプレイ３０に待ち受け画面が表示され、左ソフトキーＫＬが押下された場合に、待ち受け画面の領域ＡＬに表示されているアイコンに対応する機能を実行する。
【００６４】
なお、本実施形態では、設定画面の表示機能やカメラ機能なども、ディスプレイ３０にアイコンとして表示されるため、アプリケーションプログラムに準ずるものとする。
【００６５】
画面切替部１２は、ユーザの操作に応じてディスプレイ３０に表示される画面を切り替えるものである。例えば、ホーム画面切替ボタンＫＨが押下された場合、画面切替部１２は、ディスプレイ３０に表示される画面を、その時点で表示されていた画面からホーム画面に切り替える。また、戻るボタンＫＢが押下された場合、画面切替部１２は、ディスプレイ３０に表示される画面を、その時点で表示されていた画面から当該画面のさらに１つ前に表示されていた画面に切り替える。
【００６６】
クイックメニュー表示部１３は、アイコンの一覧を含むホーム画面において、一覧から選択されたアイコンを、クイックメニュー表示領域ＡＱに表示するものであり、特許請求の範囲に記載の選択機能表示手段に相当する。図２を参照して説明したように、一覧からのアイコンの選択は、タッチ操作によって容易に実行可能である。
【００６７】
アイコン関連設定部１４は、待ち受け画面の領域ＡＲ・ＡＬに表示される各アイコンに対応する機能が、ホーム画面のクイックメニュー表示領域ＡＱに表示される各アイコンに対応する機能と同一になるように、領域ＡＲ・ＡＬに表示される各アイコンとクイックメニュー表示領域ＡＱに表示される各アイコンとを互いに関連付けるものである。これにより、ホーム画面において、クイックメニュー表示領域ＡＱに表示されるアイコンが変更され、その後、待ち受け画面に切り替えられたときに、当該変更後のアイコンが領域ＡＲ・ＡＬに表示される。アイコン関連設定部１４は、特許請求の範囲に記載の要素関連設定手段に相当する。
【００６８】
連続移動表示部１５は、待ち受け画面からホーム画面に切り替えるときに、待ち受け画面の領域ＡＲ・ＡＬに表示されている各アイコンを連続的に移動させて、ホーム画面のクイックメニュー表示領域ＡＱさせる機能を有している。また、連続移動表示部１５は、ホーム画面から待ち受け画面に切り替えるときに、ホーム画面のクイックメニュー表示領域ＡＱに表示されている各アイコンを連続的に移動させて、待ち受け画面の領域ＡＲ・ＡＬに表示させる。すなわち、連続移動表示部１５は、待ち受け画面とホーム画面との間の切り替えにおいて、互いに関連付けられたアイコンを連続的に移動表示する。連続移動表示部１５は、特許請求の範囲に記載の連続移動表示手段に相当する。
【００６９】
以上の構成において、アプリケーション実行部１１は、ディスプレイ３０に待ち受け画面が表示されている場合に、右ソフトキーＫＲ・左ソフトキーＫＬが押下されると、領域ＡＲ・ＡＬに表示されているアイコンに対応する機能を実行する。すなわち、右ソフトキーＫＲには、領域ＡＲに表示されているアイコンに対応する機能の実行が割り当てられ、左ソフトキーＫＬには、領域ＡＬに表示されているアイコンに対応する機能の実行が割り当てられている。これにより、ユーザは、待ち受け画面が表示されているときに、領域ＡＲ・ＡＬに表示されているアイコンの機能を、片手で操作しながらワンタッチで実行させることができる。
【００７０】
また、領域ＡＲ・ＡＬに表示されているアイコンを変更する場合、アイコンの一覧を含むホーム画面において、クイックメニュー表示部１３が、ユーザのタッチ操作に応じて当該一覧から選択されたアイコンをクイックメニュー表示領域ＡＱに表示する。さらに、アイコン関連設定部１４が、ホーム画面のクイックメニュー表示領域ＡＱに表示されている各アイコンと、ホーム画面の領域ＡＲ・ＡＬに表示される各アイコンとを互いに関連付ける。これにより、ホーム画面から待ち受け画面に切り替えられたときに、クイックメニュー表示領域ＡＱに表示されていた各アイコンが、ホーム画面の領域ＡＲ・ＡＬに表示される。
【００７１】
このように、領域ＡＲ・ＡＬに表示されるアイコンをホーム画面におけるタッチ操作によって変更できるので、右ソフトキーＫＲおよび左ソフトキーＫＬに割り当てられる機能を容易に変更できる。
【００７２】
（アイコンの変更手順）
続いて、待ち受け画面の領域ＡＲ・ＡＬに表示されるアイコンの変更手順について、図５に基づいて説明する。図５は、待ち受け画面の領域ＡＲ・ＡＬに表示されるアイコンの変更手順を示すフローチャートである。
【００７３】
まず、携帯電話機１の電源が投入されると（Ｓ１）、起動経過等を示す画面やパスワード入力画面等が表示された後、待ち受け画面が表示される（Ｓ２）。このとき、待ち受け画面の領域ＡＲ・ＡＬには、それぞれ、前回使用時に右ソフトキーＫＲ・左ソフトキーＫＬに割り当てられていた機能を示す各アイコンが表示される。その後、ホーム画面切替ボタンＫＨが押下されると（Ｓ３）、ホーム画面に切り替わり、ホーム画面のクイックメニュー表示領域ＡＱには、待ち受け画面の領域ＡＲ・ＡＬの表示されていたアイコンが表示される（Ｓ４、選択機能表示ステップ）。
【００７４】
このとき、タッチ操作によりクイックメニュー表示領域ＡＱに表示されているアイコンが変更された場合（Ｓ５においてＹＥＳ、要素関連設定ステップ）、戻るボタンが押下されて待ち受け画面に切り替わると（Ｓ６）、待ち受け画面の領域ＡＲ・ＡＬには、変更後のアイコンが表示される（Ｓ７）。一方、ホーム画面においてクイックメニュー表示領域ＡＱに表示されているアイコンが変更されなかった場合（Ｓ５においてＮＯ）、戻るボタンが押下されて待ち受け画面に切り替わると（Ｓ８）、Ｓ２で表示された待ち受け画面におけるものと同一のアイコンが、領域ＡＲ・ＡＬに表示される（Ｓ９）。
【００７５】
（ソフトウェアによる実施例）
携帯電話機１の制御部１０の各ブロック、特にアプリケーション実行部１１、クイックメニュー表示部１３、アイコン関連設定部１４および連続移動表示部１５は、集積回路（ＩＣチップ）上に形成された論理回路によってハードウェア的に実現してもよいし、ＣＰＵ（Central Processing Unit）を用いてソフトウェア的に実現してもよい。
【００７６】
後者の場合、携帯電話機１は、各機能を実現するプログラムの命令を実行するＣＰＵ、上記プログラムを格納したＲＯＭ（Read Only Memory）、上記プログラムを展開するＲＡＭ（Random Access Memory）、上記プログラムおよび各種データを格納するメモリ等の記憶装置（記録媒体）などを備えている。そして、本発明の目的は、上述した機能を実現するソフトウェアである携帯電話機１の制御プログラムのプログラムコード（実行形式プログラム、中間コードプログラム、ソースプログラム）をコンピュータで読み取り可能に記録した記録媒体を、携帯電話機１に供給し、そのコンピュータ（またはＣＰＵやＭＰＵ）が記録媒体に記録されているプログラムコードを読み出し実行することによっても、達成可能である。
【００７７】
上記記録媒体としては、例えば、磁気テープやカセットテープ等のテープ類、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク類、ＩＣカード（メモリカードを含む）／光カード等のカード類、マスクＲＯＭ／ＥＰＲＯＭ／ＥＥＰＲＯＭ／フラッシュＲＯＭ等の半導体メモリ類、あるいはＰＬＤ（Programmable logic device）やＦＰＧＡ（Field Programmable Gate Array）等の論理回路類などを用いることができる。
【００７８】
また、携帯電話機１を通信ネットワークと接続可能に構成し、上記プログラムコードを通信ネットワークを介して供給してもよい。この通信ネットワークは、プログラムコードを伝送可能であればよく、特に限定されない。例えば、インターネット、イントラネット、エキストラネット、ＬＡＮ、ＩＳＤＮ、ＶＡＮ、ＣＡＴＶ通信網、仮想専用網（Virtual Private Network）、電話回線網、移動体通信網、衛星通信網等が利用可能である。また、この通信ネットワークを構成する伝送媒体も、プログラムコードを伝送可能な媒体であればよく、特定の構成または種類のものに限定されない。例えば、ＩＥＥＥ１３９４、ＵＳＢ、電力線搬送、ケーブルＴＶ回線、電話線、ＡＤＳＬ（Asymmetric Digital Subscriber Line）回線等の有線でも、ＩｒＤＡやリモコンのような赤外線、Ｂｌｕｅｔｏｏｔｈ（登録商標）、ＩＥＥＥ８０２．１１無線、ＨＤＲ（High Data Rate）、ＮＦＣ（NearField Communication）、ＤＬＮＡ（Digital Living Network Alliance）、携帯電話機網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【００７９】
（実施形態の総括）
本実施形態では、携帯電話機１が有する機能を示す表示要素がアイコンである例について説明したが、必ずしもこれに限定されない。上記表示要素は、例えば、アプリケーションや機能を示す文字列であってもよい。
【００８０】
また、待ち受け画面の領域ＡＲ・ＡＬに表示される表示要素の形態と、ホーム画面のクイックメニュー表示領域ＡＱに表示される表示要素の形態とは、同一でなくてもよい。例えば、クイックメニュー表示領域ＡＱにはアイコンを表示し、領域ＡＲ・ＡＬには、当該アイコンのアプリケーションまたは機能を示す文字列を表示してもよい。
【００８１】
また、待ち受け画面の領域ＡＲ・ＡＬに表示されるアイコンと、ホーム画面のクイックメニュー表示領域ＡＱに表示されるアイコンとは、その外観は必ずしも同一でなくてもよい。ただし、待ち受け画面の領域ＡＲ・ＡＬに表示されるアイコンの外観と、ホーム画面のクイックメニュー表示領域ＡＱに表示されるアイコンの外観とが同一であるほうが、ユーザは、それらのアイコンが同一であることが容易に認識できるので、好ましい。
【００８２】
また、待ち受け画面において、領域ＡＲ・ＡＬに表示されたアイコンをワンタッチで起動させるための特定操作ボタンは、右ソフトキーＫＲおよび左ソフトキーＫＬに限定されない。
【００８３】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【産業上の利用可能性】
【００８４】
本発明は、ディスプレイとタッチパネルと操作ボタンとを有するあらゆる電子機器に適用でき、特に、ボタン操作とタッチ操作との両方が可能な携帯電話機に好適である。
【符号の説明】
【００８５】
１  携帯電話機（電子機器）
２  表示スクリーン
３  操作ボタン配置面
１０  制御部
１１  アプリケーション実行部（機能実行手段）
１２  画面切替部
１３  クイックメニュー表示部（選択機能表示手段）
１４  アイコン関連設定部（要素関連設定手段）
１５  連続移動表示部（連続移動表示手段）
２０  無線通信部
３０  ディスプレイ
４０  タッチパネル
５０  ボタン操作受付部
６０  記憶部
６１  フラッシュメモリ
６２  ＲＯＭ
６３  ＲＡＭ
ＡＲ  領域（右側特定領域）
ＡＬ  領域（左側特定領域）
ＡＱ  クイックメニュー表示領域（選択機能表示領域）
ＡＶ  一覧表示領域
ＫＢ  戻るボタン
ＫＨ  ホーム画面切替ボタン
ＫＲ  右ソフトキー（特定操作ボタン）
ＫＬ  左ソフトキー（特定操作ボタン）
【図１】
2012238236.tif 000003
【図２】
2012238236.tif 000004
【図３】
2012238236.tif 000005
【図４】
2012238236.tif 000006
【図５】
2012238236.tif 000007
【図６】
2012238236.tif 000008
【図７】
2012238236.tif 000009